(57)【要約】      （修正有）【課題】ハンドルから延びるネック段に環状溝が複数設けられており、これらの環状溝により、ネック段を任意の角度に屈折して定位することが可能であり、歯間の清潔が容易となり、利用が極めて便利な歯間ブラシを提供する。【解決手段】ハンドル２１と、ネック段２２と、ブラシヘッド２３と、から構成され、ハンドル２１はロッド状を呈し、ユーザはハンドル２１を握って利用することが可能であり、ハンドル２１からネック段２２が延びており、ネック段２２にブラシヘッド２３が組み付けられており、ブラシヘッド２３には、円錐状を呈する剛毛２３１が設けられている歯間ブラシ２において、ネック段２２の周面には、環状溝２２１が複数設けられており、これらの環状溝２２１により、ネック段２２を屈折することが可能であり、その屈折角度を保持することも可能である。【選択図】図５
0003191540.tif 000002
【実用新案登録請求の範囲】
【請求項１】
ハンドルと、ネック段と、ブラシヘッドと、から構成され、前記ハンドルはロッド状を呈し、ユーザは前記ハンドルを握って利用することが可能であり、前記ハンドルから前記ネック段が延びており、前記ネック段にブラシヘッドが組み付けられており、前記ブラシヘッドには、円錐状を呈する剛毛が設けられている歯間ブラシにおいて、
前記ネック段の周面には、環状溝が複数設けられており、これらの前記環状溝により、前記ネック段を屈折することが可能であり、その屈折角度を保持することも可能であることを特徴とする歯間ブラシ。
【請求項２】
前記ネック段の断面形状は、円形、矩形、又は多辺形を呈することを特徴とする、請求項１に記載の歯間ブラシ。
【請求項３】
前記ネック段は、扁平状を呈し、その両側に溝が設けられており、前記溝により、前記ネック段を両側へ屈折することが可能であることを特徴とする、請求項１に記載の歯間ブラシ。
【考案の詳細な説明】
【技術分野】
【０００１】
本考案は、角度調整可能な歯間ブラシに関し、特に、ハンドルから延びるネック段に環状溝が複数設けられており、これらの環状溝により、ネック段を任意の角度に屈折して定位することが可能であり、歯間の清潔が容易となり、利用が極めて便利な歯間ブラシに関するものである。
【背景技術】
【０００２】
歯間ブラシ１は、歯間を清潔するための道具であり、図１に示すように、ハンドル１１と、ブラシヘッド１２と、から構成される。ハンドル１１はロッド状を呈する。ハンドル１１からブラシヘッド１２が延びている。ブラシヘッド１２に剛毛１２１が組み付けられている。このように、歯間ブラシ１により歯間を清潔することが可能である。
【０００３】
図２を参照する。図２は従来の歯間ブラシの使用状態を示す模式図である。歯１３は口腔の中央から両側へ円弧状に配列されているため、口腔の中央にある歯間１３１が歯間ブラシ１にほぼ平行し、口腔の両側にある歯１３の歯間１３１は、歯間ブラシ１を傾斜しないと当該歯間１３１を清潔することができない。そして口腔の両側にある歯１３の歯間１３１は、奥方に位置するほど、清潔が更に困難となる。口腔の奥方に位置する歯１３の歯間１３１を清潔するために、歯間ブラシ１を無理に屈折すると、歯間ブラシ１は断裂して歯間１３１に係止されやすい。
【０００４】
上記の問題を解決するために、図３に示す屈折式歯間ブラシ１０が開発されて市販している。屈折式歯間ブラシ１０は、ハンドル１０１の上端に屈折部１０１１が設けられていることにより、ブラシヘッド１０２を押さえると、屈折部１０１１が屈折されて、ブラシヘッド１０２の剛毛１０２１が外側へ傾斜する。このように、図４に示すように、口腔の奥方に位置する歯１３の歯間１３１を清潔することが可能である。しかし、屈折部１０１１は、樹脂を採用し、弾力及び撓み性を有するため、屈折されると即時に直線状に回復し、口腔の奥方に位置する歯１３の歯間１３１を有効に清潔することができない。
【考案の概要】
【考案が解決しようとする課題】
【０００５】
本考案の主な目的は、ハンドルから延びるネック段に環状溝が複数設けられており、これらの環状溝により、ネック段を任意の角度に屈折して定位することが可能であり、歯間の清潔が容易となり、利用が極めて便利な歯間ブラシを提供することにある。
【課題を解決するための手段】
【０００６】
本考案の歯間ブラシによると、ハンドルと、ネック段と、ブラシヘッドと、から構成され、ハンドルはロッド状を呈し、ユーザはハンドルを握って利用することが可能であり、ハンドルからネック段が延びており、ネック段にブラシヘッドが組み付けられており、ブラシヘッドには、円錐状を呈する剛毛が設けられている歯間ブラシにおいて、
ネック段の周面には、環状溝が複数設けられており、これらの環状溝により、ネック段を屈折することが可能であり、その屈折角度を保持することも可能であることを特徴とする。
【０００７】
本考案の歯間ブラシによると、ネック段の断面形状は、円形、矩形、又は多辺形を呈することを特徴とする。
【０００８】
本考案の歯間ブラシによると、ネック段は、扁平状を呈し、その両側に溝が設けられており、溝により、ネック段を両側へ屈折することが可能であることを特徴とする。
【考案の効果】
【０００９】
本考案の歯間ブラシによれば、ハンドルから延びるネック段に環状溝が複数設けられており、これらの環状溝により、ネック段を任意の角度に屈折して定位することが可能であり、歯間の清潔が容易となり、利用が極めて便利であるという効果を有する。
【図面の簡単な説明】
【００１０】
【図１】従来の歯間ブラシを示す模式図である。
【図２】従来の歯間ブラシの使用状態を示す模式図である。
【図３】従来の屈折式歯間ブラシを示す模式図である。
【図４】従来の屈折式歯間ブラシの使用状態を示す模式図である。
【図５】本考案の実施例を示す斜視図である。
【図６】本考案の実施例を屈折する状態を示す模式図である。
【図７】本考案の実施例の使用状態を示す模式図である。
【図８】本考案のハンドルの別の実施例を示す模式図である。
【図９】本考案のネック段の別の実施例を示す模式図である。
【考案を実施するための最良の形態】
【００１１】
以下、本考案の実施の形態を図面に基づいて説明する。
図５を参照する。図５は本考案の実施例を示す斜視図である。本実施例の歯間ブラシは、ハンドル２１と、ネック段２２と、ブラシヘッド２３と、から構成される。ハンドル２１はロッド状を呈し、ユーザはハンドル２１を握って利用することが可能である。ハンドル２１からネック段２２が延びている。ネック段２２の周面には、環状溝２２１が複数設けられている。これらの環状溝２２１により、ネック段２２を屈折することが可能である。ネック段２２は撓み性を有する。ネック段２２にブラシヘッド２３が組み付けられている。ブラシヘッド２３には、円錐状を呈する剛毛２３１が設けられている。このように、本実施例の歯間ブラシにより、歯間を清潔することが可能である。
【００１２】
図６を参照する。図６は本考案の実施例を屈折する状態を示す模式図である。ハンドル２１の両側には、互いに交差するように設けられている皺２１１が設けられている。皺２１１による摩擦により、ユーザはハンドル２１を容易に握ることが可能である。ネック段２２の周面には、環状溝２２１が複数設けられている。これらの環状溝２２１により、ネック段２２を任意に屈折することが可能であり、その屈折角度を保持することも可能である。このように、剛毛２３１により、口腔の奥方に位置する歯１３の歯間を有効に清潔することが可能である（図示せず）。
【００１３】
図６及び図７を参照しながら本実施例の使用状態を説明する。図６は本考案の実施例を屈折する状態を示す模式図であり、図７は本考案の実施例の使用状態を示す模式図である。歯３は口腔の中央から両側へ円弧状に配列されているため、口腔の中央にある歯３の歯間３１が剛毛２３１に平行し、ユーザはブラシヘッド２３に設けられている剛毛２３１を歯間３１に進出して、歯間３１にある残留物を除去することが可能である。一方、本実施例のネック段２２に力を加えると、ネック段２２が屈折されて（最大９０度）、剛毛２３１も同期に傾斜するため、口腔の奥方に位置する歯１３の歯間を有効に清潔することが可能である。すなわち、ハンドル２１を握る角度を変化せず、剛毛２３１を歯間３１に平行することが可能であり、ブラシヘッド２３を屈折角度に保持することが可能である。そしてユーザは、歯間ブラシ２を適宜の角度に屈折することが可能であり、すなわち、歯間ブラシ２を０〜９０度範囲内に屈折することが可能である。このように、本実施例の歯間ブラシ２によれば、利用が極めて簡易であり、歯間３１を清潔する効率を向上することが可能であり、省力化することが可能であり、ブラシヘッド２が離脱し難く、歯間ブラシ２の寿命を延びることが可能である。
【００１４】
図８を参照する。図８は本考案のハンドルの別の実施例を示す模式図である。ハンドル２１の断面形状は、図８に示すように、矩形を呈してもよい。ハンドル２１から延びるネック段２２０の断面形状も矩形を呈する。ネック段２２０の周面には、環状溝２２０１が複数設けられている。これらの環状溝２２０１により、ネック段２２０を四つの方向に屈折することが可能であり、その屈折角度を保持することも可能である。
【００１５】
図９を参照する。図９は本考案のネック段の別の実施例を示す模式図である。ネック段２２２は、扁平状を呈し、その両側に溝２２２１が設けられている。ネック段２２２を屈折することが可能であるため、ネック段２２２に力を加えると、ネック段２２２が一側に屈折されて、剛毛２３１も同期に傾斜し、これにより、口腔の奥方に位置する歯の歯間３１を有効に清潔することが可能である。本実施例の歯間ブラシによれば、利用が極めて簡易であり、包装が簡易である。
【産業上の利用可能性】
【００１６】
本考案は、歯間ブラシに適用することができる。
【符号の説明】
【００１７】
１  歯間ブラシ
２  歯間ブラシ
３  歯
１０  屈折式歯間ブラシ
１１  ハンドル
１２  ブラシヘッド
１３  歯
２１  剛毛
２２  ネック段
２３  ブラシヘッド
３１  歯間
１０１  ハンドル
１０２  ブラシヘッド
１２１  ハンドル
１３１  歯間
２１１  皺
２２０  ネック段
２２１  環状溝
２２２  ネック段
２３１  剛毛
１０１１  屈折部
１０２１  剛毛
２２０１  環状溝
２２２１  溝
【図１】
0003191540.tif 000003
【図２】
0003191540.tif 000004
【図３】
0003191540.tif 000005
【図４】
0003191540.tif 000006
【図５】
0003191540.tif 000007
【図６】
0003191540.tif 000008
【図７】
0003191540.tif 000009
【図８】
0003191540.tif 000010
【図９】
0003191540.tif 000011